(57)【要約】【課題】かご室を仕切る際における作業を容易に且つ小さなスペースで行えるようにして利便性の向上を図ったパーティション装置を提供する。【解決手段】かご室１の側壁３のうち奥部側壁板８に設けられた巻取装置１０の巻取軸１２にパーティションシート１３の一端を巻き取りおよび引き出し可能に連結するとともに、パーティションシート１３の他端に留め金１６付きのエンドプレート１５を設ける一方で、奥部側壁板８に隣接する戸当り側壁板１７に留め金１６と係合可能なフック１８を設け、巻取装置１０からパーティションシート１３を引き出して留め金１６をフック１８にて係止することでかご室を仕切るようにした。【選択図】図１
2008074517.tif 000002
【特許請求の範囲】
【請求項１】
エレベータのかご室を仕切るパーティション装置であって、
上下方向に沿った巻取軸を有する巻取装置と、
一端が上記巻取軸に巻き取りおよび引き出し可能に連結され、他端に被係止部を有する可撓性のパーティションシートと、
上記被係止部を係止可能な係止部材と、
を備えていて、
上記巻取軸から係止部材に向かってパーティションシートを引き出し、上記被係止部を係止部材にて係止することでかご室を仕切るようになっていることを特徴とするエレベータのパーティション装置。
【請求項２】
巻取装置がかご室外に設けられているとともに、かご側壁に上下方向に沿ったスリットが形成されていて、そのスリットを通してパーティションシートをかご室内に引き出すようになっていることを特徴とする請求項１に記載のエレベータのパーティション装置。
【請求項３】
かご側壁のうちかご室内側壁面に凹部が形成されていて、その凹部空間内に係止部材が配置されていることを特徴とする請求項１または２に記載のエレベータのパーティション装置。
【請求項４】
係止部材が複数設けられていて、各係止部材のうちいずれかを選択使用することでかご室の仕切り位置を選択可能となっていることを特徴とする請求項１〜３のいずれかに記載のエレベータのパーティション装置。
【請求項５】
係止部材をかご側壁に沿って前後方向または左右方向に移動させる駆動装置を備えていて、その駆動装置をもって係止部材を移動させることでかご室の仕切り位置が変化するようになっていることを特徴とする請求項１〜４のいずれかに記載のエレベータのパーティション装置。
【請求項６】
係止部材が上記被係止部を係止していることを検出する検出手段を備えているとともに、エレベータの乗場にいる乗客に対して情報を伝達する情報伝達手段を備えていて、
係止部材が上記被係止部を係止して上記検出手段が実質的に検出動作したことを条件に、上記情報伝達手段をもってパーティション装置が使用中であることを上記乗場にいる乗客に伝えるようにしたことを特徴とする請求項１〜５のいずれかに記載のエレベータのパーティション装置。
【請求項７】
係止部材が巻取装置との接近・離間方向で変位可能となっているとともに、係止部材が巻取装置から離間する方向に常時付勢されている一方で、上記巻取軸はパーティションシートの巻取方向に常時付勢されていて、
係止部材が巻取装置に接近する方向に変位したことを上記検出手段が検出するようになっていることを特徴とする請求項６に記載のエレベータのパーティション装置。
【発明の詳細な説明】
【技術分野】
【０００１】
本発明はエレベータのかご室を仕切るパーティション装置に関する。
【背景技術】
【０００２】
ペットとその飼い主がエレベータを利用中に他の乗客がかごに乗り合わせた場合に、そのペットと他の乗客との間を仕切ることによってペットが他の乗客に迷惑をかけることを防止する目的でエレベータのかご室にパーティション装置を設ける技術が、例えば特許文献１に記載されている。
【０００３】
特許文献１に記載の技術は、平面視矩形状のかご室の内壁面のうち互いに対向する二面間に柵を掛け渡すようにしたものであって、上記二面のうち一方の面に柵の一端を鉛直軸心回りで回動可能に連結するとともに、他方の面に板状の磁性体を設け、上記柵がかご室の内壁面に沿った収納状態から上記柵を回動させて上記柵の他端を磁性体に吸着させることでかご室を仕切るようになっている。
【特許文献１】特開平１０−１３９３２０号公報
【発明の開示】
【発明が解決しようとする課題】
【０００４】
特許文献１に記載の技術では、上記収納状態から柵を回動させてかご室を仕切るようになっているため、上記柵を回動させるために大きな空間が必要となり、例えば、上記柵が回動する軌道上に乗客がいる場合には柵を回動させることができず、利便性に欠ける。
【０００５】
また、上記柵が収納時も含めて常時かご室内に露出しているため、外観品質上好ましくない。
【０００６】
本発明は上記の課題に鑑み、特にかご室を仕切る際における作業を容易に且つ小さなスペースで行えるようにして利便性の向上を図ったパーティション装置を提供することを目的としている。
【課題を解決するための手段】
【０００７】
請求項１に記載の発明は、エレベータのかご室を仕切るパーティション装置であることを前提としていて、上下方向に沿った巻取軸を有する巻取装置と、一端が上記巻取軸に巻き取りおよび引き出し可能に連結され、他端に被係止部を有する可撓性のパーティションシートと、上記被係止部を係止可能な係止部材と、を備えていて、上記巻取軸から係止部材に向かってパーティションシートを引き出し、上記被係止部を係止部材にて係止することでかご室を仕切るようになっていることを特徴としている。
【０００８】
したがって、請求項１に記載の発明では、パーティションシートの収納時にはそのパーティションシートが上記巻取軸に巻き付けられてコンパクトに収納されている一方で、上記巻取軸からパーティションシートを引き出すことでかご室を仕切るようにしているため、その作業に大きなスペースを要さない。
【０００９】
その上で、請求項２に記載のように、巻取装置がかご室外に設けられているとともに、かご側壁に上下方向に沿ったスリットが形成されていて、そのスリットを通してパーティションシートをかご室内に引き出すようになっていると、かご室内の乗客から巻取装置が隠蔽されるとともに、エレベータのパーティション装置がかごの室内空間を狭めることなく設置できる。
【００１０】
望ましくは請求項３に記載のように、かご側壁のうちかご室内側壁面に凹部が形成されていて、その凹部空間内に係止部材が配置されていると、かご室内における係止部材による突起感がなくなる。
【００１１】
より望ましくは請求項４に記載のように、係止部材が複数設けられていて、各係止部材のうちいずれかを選択使用することでかご室の仕切り位置を選択可能となっていると、かご室を仕切る際の自由度を向上させてかごの室内空間を有効に利用することができる。
【００１２】
また、請求項５に記載のように、係止部材をかご側壁に沿って前後方向または左右方向に移動させる駆動装置を備えていて、その駆動装置をもって係止部材を移動させることでかご室の仕切り位置が変化するようになっていると、かご室を仕切る際の自由度を向上させる上でより望ましい。
【００１３】
さらに、請求項６に記載のように、係止部材が上記被係止部を係止していることを検出する検出手段を備えているとともに、エレベータの乗場にいる乗客に対して情報を伝達する情報伝達手段を備えていて、係止部材が上記被係止部を係止して上記検出手段が実質的に検出動作したことを条件に、上記情報伝達手段をもってパーティション装置が使用中であることを上記乗場にいる乗客に伝えるようにすると、パーティション装置が使用中であることを乗場にいる乗客に予め認識させ、乗場にいる乗客が同乗するかどうかを選択することができる。
【００１４】
具体的には請求項７に記載のように、係止部材が巻取装置との接近・離間方向で変位可能となっているとともに、係止部材が巻取装置から離間する方向に常時付勢されている一方で、上記巻取軸はパーティションシートの巻取方向に常時付勢されていて、係止部材が巻取装置に接近する方向に変位したことを上記検出手段が検出するようになっていると、被係止部が係止部材に係止されたときに上記巻取軸がパーティションシートを巻き取る巻取力によって係止部材が巻取装置に接近する方向に変位し、検出手段が実質的に検出動作することとなる。
【発明の効果】
【００１５】
請求項１に記載の発明によれば、パーティションシートの収納時にそのパーティションシートが上記巻取軸に巻き付けられてコンパクトに収納されているため、外観品質上好ましいものとなる。また、上記巻取軸からパーティションシートを引き出すことでかご室を仕切るようにしているため、その作業に大きなスペースを要さず利便性が向上するメリットがある。
【００１６】
特に請求項２に記載の発明によれば、パーティションシートがかご室外に設置された巻取装置に巻き取られて収納されるため、エレベータのパーティション装置がかご室内空間を狭めることなく設置可能となるメリットがある。
【００１７】
また、請求項４，５に記載の発明によれば、かご室の仕切り位置を必要に応じて設定することができるため、パーティション装置の利便性がさらに向上する。
【発明を実施するための最良の形態】
【００１８】
図１，２は本発明のより具体的な実施の形態を示す図であって、図１はエレベータのかごの平断面図、図２はエレベータのかご室内を示す斜視図である。
【００１９】
図１に示すようにエレベータのかご室１は平面視略矩形状であって、かご床２に対して垂直に立設された四方の側壁３によりかご室内の空間がかご室外の空間から遮蔽されている。側壁３のうちかごの出入口４側の壁面を構成する袖壁５にはかご操作盤６が設けられているとともに、出入口４を開放したときに、その出入口４を開閉する二枚のスライドドア７が袖壁５のかご室外側に形成された戸袋に収納されるようになっている。
【００２０】
図１のほか図２に示すように、側壁３のうち出入口４と対向する奥部側壁板８のかご室外側壁面にはＬ字ブラケット９を介して巻取装置１０が固定されている。巻取装置１０のケーシング１１内には上下方向に沿った巻取軸１２が設けられているとともに、その巻取軸１２に可撓性のパーティションシート１３の一端が巻き取りおよび引き出し可能に連結されている。なお、パーティションシート１３としては例えばナイロンやポリエステル等の化学繊維を布地としたものを用いるとよい。また、巻取軸１２とケーシング１１との間には図示外のぜんまいが介装されていて、そのぜんまいにより巻取軸１２がパーティションシート１３を巻き取る方向に常時付勢され、巻取装置１０がパーティションシート１３を巻き取る巻取力を発生するようになっている。
【００２１】
ケーシング１１にはケーシング側スリット１１ａが上下方向に沿って開口形成されているとともに、奥部側壁板８にはケーシング側スリット１１ａと同一形状の壁板側スリット８ａがケーシング側スリット１１ａと連続するように開口形成されていて、パーティションシート１３がその両スリット８ａ，１１ａを挿通している。
【００２２】
パーティションシート１３の他端にはグリップ１４付きのエンドプレート１５が固定されているとともに、エンドプレート１５には被係止部たる上下一対の留め金１６が設けられていて、パーティションシート１３がそのほぼ全長にわたって巻取軸１２に巻き取られた収納状態で、グリップ１４が壁板側スリット８ａの開口縁部に引っ掛かってかご室内に露出するようになっている。
【００２３】
一方、側壁３のうち奥部側壁板８に対して出入口４の戸当り側で隣接する戸当り側壁板１７には、留め金１６と係合可能な係止部材たるフック１８がかご室内側に向かって突出するように設けられている。フック１８は上下方向に並んだ二つのフック１８を一組として前後方向で複数組（図示の例では二組）設けられていて、各組のフック１８のうちいずれかを選択使用可能となっている。
【００２４】
図３は留め金１６およびフック１８の詳細を示す説明図であって、図３の（ａ）はその正面図、図３の（ｂ）は図３の（ａ）におけるＡ−Ａ断面図で両者の係合状態を示す図である。
【００２５】
より詳細には、図３の（ａ）および（ｂ）に示すように留め金１６は環状のものであって、留め金１６をフック１８に係合させることで、そのフック１８によって留め金１６が巻取装置１０の巻取力に抗して係止されることとなる。
【００２６】
図４はかご室３の斜視図であって、図４の（ａ），（ｂ）ともにパーティションシート１３にてかご室３を仕切っている状態を示している。
【００２７】
以上のように構成したエレベータのパーティション装置では、例えばかごにペットを乗せる場合やかごにゴミを載せる場合等に、グリップ１４を掴んでかご室外のケーシング１１内に収納されたパーティションシート１３を各組のフック１８のうちいずれかの組のフック１８に向かって引き出す。そして、図４の（ａ）および（ｂ）に示すように選択したフック１８に留め金１６を引っ掛けて係止状態とすることでパーティションシート１３が固定され、かご室３の仕切りが完了することとなる。なお、フック１８と留め金１６との係合状態を解除すると、巻取装置１０の巻取力をもってパーティションシート１３が巻取軸１２に巻き取られて再びケーシング１１内に収納される。
【００２８】
したがって、本実施の形態におけるエレベータのパーティション装置によれば、巻取装置１０をかご室外に設置するため、かごの室内空間を狭めることなくパーティション装置を設置可能であるほか、パーティションシート１３の収納時に、そのパーティションシート１３がかご室外に設けられた巻取装置１０内にコンパクトに収納されてかご室内の乗客から隠蔽されるため、外観品質上好ましいものとなる。
【００２９】
その上、巻取装置１０からパーティションシート１３を引き出すことでかご室３を仕切るようにしているため、その作業に大きなスペースを要さず、他の乗客に迷惑を掛けることなく利用することができ、パーティション装置の利便性が飛躍的に向上する。また、かご室３の仕切り位置を選択可能となっているため、その仕切り位置を必要に応じて選択することでかごの室内空間を有効に利用することができるメリットがある。
【００３０】
図５は第１の実施の形態における留め金１６の変形例を示す図であって、図５の（ａ）はその正面図、図５の（ｂ）は図５の（ａ）におけるＢ−Ｂ断面図でパーティションシート１３がフック１８に固定された状態を示している。
【００３１】
図５の（ａ），（ｂ）に示す変形例は、エンドプレート１９に開口部１９ａを設けることで第１の実施の形態における留め金１６に代えてエンドプレート１９をフック１８と係合可能としたものであって、エンドプレート１９自体が被係止部として機能することとなる。したがって、部品点数の削減によりコスト的に有利となるメリットがある。
【００３２】
図６は第１の実施の形態におけるフック１８の取付構造の変形例を示す図であって、図６の（ａ）はその正面図、図６の（ｂ）は図６の（ａ）におけるＣ−Ｃ断面図で留め金１６とフック１８とが係合した状態を示す図である。また、図７は図６に示した留め金１６およびフック１８のさらなる別の変形例を示す図であって、図７の（ａ）はその正面図、図７の（ｂ）は図７の（ａ）におけるＤ−Ｄ断面図で留め金１６とフック１８とが係合した状態を示す図である。
【００３３】
図６の（ａ），（ｂ）に示す変形例は、戸当り側壁板１７のかご室内側壁面に凹部１７ａを設け、その凹部空間内にフック１８を設置したものである。この場合には、戸当り側壁板１７からフック１８が突出することによる突起感がなくなり、かご室１の意匠上好ましいものとなる上に、衣服や体の一部がフック１８に引っ掛かることによる事故を防止し、エレベータの安全性を高めることができるメリットがある。
【００３４】
なお、当然のことながら図７の（ａ），（ｂ）に示すようにエンドプレート１５に被係止部としてフック２０を設け、戸当り側壁板１７に係止部材として留め金２１を設けてもよい。
【００３５】
図８，９はそれぞれ第１の実施の形態における巻取装置２０の取付構造の変形例を示す図である。
【００３６】
図８に示す変形例は、奥部側壁板８のかご室内側壁面のうち壁板側スリット８ａの周縁部に上下方向に沿った凹部８ｂを形成したものであって、パーティションシート１３の収納時にグリップ１４およびエンドプレート１５が凹部８ｂ内に収納される。したがって、パーティションシート１３の収納時にグリップ１４およびエンドプレート１５が奥部側壁板８から突出していることによる突起感がなくなり、かご室３の意匠上好ましいものとなる上に、衣服や体の一部がグリップ１４およびエンドプレート１５に引っ掛かることによる事故を防止し、エレベータの安全性を高めることができるメリットがある。
【００３７】
図９に示す変形例は、巻取装置１０を奥部側壁板８の室内側壁面に取り付けたものであって、既設のエレベータにパーティション装置を取り付ける場合に、その取付作業が容易となるメリットがある。
【００３８】
また、第１の実施の形態では巻取装置１０を奥部側壁板８に、フック１８を戸当り側壁板１７にそれぞれ設けるものとしたが、本発明はこれに限られるものではなく、例えば図１０に示すように戸当り側壁板１７に壁板側スリット１７ａを開口形成して巻取装置１０を設ける一方で、戸当り側壁板１７に対向する戸袋側壁板２２にフック１８を設けてもよい。
【００３９】
図１１は本発明の第２の実施の形態を示す図であって、エレベータのかごの平断面図である。
【００４０】
図９に示す第２の実施の形態は、ケーシング２３内に二つの巻取軸１２を備えた巻取装置２４を用いたものである。なお、ケーシング２３には各巻取軸１２に対応してそれぞれケーシング側スリット２３ａが開口形成されているとともに、奥部側壁板８には各ケーシング側スリット２３ａに対応してそれぞれ壁板側スリット８ａが開口形成されている。戸袋側壁板２２および戸当り側壁板１７にはそれぞれ複数組（図示の例では二組）のフック１８が設けられていて、各巻取軸１２にそれぞれ巻き付けられたパーティションシート１３によってかご室を三つの空間に仕切ることで、二頭以上のペットがかごに乗り合わせた場合にも対応できるようになっている。
【００４１】
なお、当然のことながら、巻取装置２４に代えて第１の実施の形態における巻取装置１０を二つ設置しても同様の効果が得られる。
【００４２】
図１２は本発明の第３の実施の形態を示す図であって、エレベータのかごの平断面図である。
【００４３】
図１２に示す第３の実施の形態は、戸当たり側壁板１７に巻取装置１０を設ける一方で、フック１８を戸袋側壁板１７のかご室内側壁面に沿って前後方向に移動させる駆動装置２５を設けたものである。駆動装置２５は前後方向で対向配置された一対のプーリ２６，２７を備えているとともに、その両プーリ２６，２７間に無端状のベルト２８が掛け渡されていて、そのベルト２６にフック１８が固定されている。そして、プーリ２７と同軸上に設けられた図示外のモータによりプーリ２７を回転駆動することでベルト２８が周回移動し、フック１８が前後方向に移動することとなる。
【００４４】
また、駆動装置２５に隣接して仕切り操作ボタン２９が設けられていて、その仕切り操作ボタン２９によってモータを正逆転駆動させることでかご室１の仕切り位置が連続的に変化するようになっている。
【００４５】
したがって、第３の実施の形態におけるエレベータのパーティション装置によれば、かご室１の仕切り位置を必要に応じて連続的に変化させることで、かごの室内空間を有効に利用できる利点がある。
【００４６】
図１３は本発明の第４の実施の形態を示す図であって、図１３の（ａ）はエレベータのかごの平断面図、図１３の（ｂ）は図１３の（ａ）におけるＥ部の詳細を示す拡大図である。
【００４７】
図１３の（ａ），（ｂ）に示す第４の実施の形態は、留め金１６とフック３０が係合していることを検出する検出手段たる検出スイッチ３１を設けたものであって、その検出スイッチ３１が検出動作したことを条件に情報伝達手段たる乗場インジケータ３２に「かご内注意」と表示して乗場にいる乗客に対してパーティション装置が使用中であることを伝えるようにしている。
【００４８】
より詳細には、フック３０と戸当り側壁板１７との間に引張ばね３３が介在していて、フック３０が戸当り側壁板１７との接近・離間方向、すなわち巻取装置１０との接近・離間方向で変位可能となっているとともに、フック３０は戸当り側壁板１７に接近する方向、すなわち巻取装置１０から離間する方向に常時付勢されている。
【００４９】
検出スイッチ３１はフック３０のうち引張ばね３３に対する取付基部３０ａに反引張ばね３３側で対向配置されていて、フック３０が引張ばね３３の付勢力に抗して戸当り側壁板１７から離間する方向に変位したときに、検出スイッチ３１が取付基部３０ａに押圧されて検出動作し、制御装置３４に対して検出信号を出力することとなる。すなわち、フック３０と留め金１６とが係合したときに、巻取装置１０の巻取力によってフック３０が留め金１６に牽引されて巻取装置１０に接近する方向に変位し、検出スイッチ３１が検出動作するようになっている。
なお、検出スイッチ３１と引張ばね３３および取付基部３０ａはスイッチボックス３５に収納されている。
【００５０】
一方、かご操作盤６にはかご内注意ボタン３６が設けられていて、かご内注意ボタン３６が押圧されたときに、その操作信号が制御装置３４に取り込まれるようになっている。
【００５１】
図１４は制御装置３４の制御内容を示すフローチャートである。
【００５２】
制御装置３４は図１４に示すように、まず、かご内注意ボタン３６が押圧されているかどうか、すなわちかご内注意ボタン３６からの操作信号の入力の有無を判断する（ステップＳ１）。次いで、かご内注意ボタン３６からの操作信号の入力がない場合には、パーティション装置が使用中であるかどうか、すなわち、検出スイッチ３１からの検出信号の入力の有無を判断する（ステップＳ２）。そして、かご内注意ボタン３６および検出スイッチ３１のうち少なくとも一方からの信号を制御装置３４が入力している場合には、かごが行き先階に到着するまで乗場インジケータ３２に「かご内注意」と表示する（ステップＳ３〜Ｓ５）。
【００５３】
したがって、第４の実施の形態におけるエレベータのパーティション装置によれば、パーティション装置が使用中であることを乗場にいる乗客に予め認識させ、乗場にいる乗客が同乗するかどうかを選択することができるため、エレベータの利便性がより向上する。
【図面の簡単な説明】
【００５４】
【図１】本発明の第１の実施の形態を示す図であって、エレベータのかごの平断面図。
【図２】図１におけるかご室内を示す斜視図。
【図３】図１における留め金およびフックの詳細を示す説明図であって、同図（ａ）は両者の被係合状態における正面図、同図（ｂ）は同図（ａ）におけるＡ−Ａ断面図で両者の係合状態を示す図。
【図４】同図（ａ），（ｂ）ともに図２においてパーティション装置を使用中の状態を示す斜視図。
【図５】第１の実施の形態における留め金の変形例を示す図であって、同図（ａ）はその正面図、同図（ｂ）は同図（ａ）におけるＢ−Ｂ断面図でその係止状態を示す図。
【図６】第１の実施の形態におけるフックの取付構造の変形例を示す図であって、同図（ａ）はその正面図、同図（ｂ）は同図（ａ）におけるＣ−Ｃ断面図で留め金の係止状態を示す図である。
【図７】図６における留め金およびフックのさらなる変形例を示す図であって、同図（ａ）はその正面図、同図（ｂ）は同図ａ）におけるＤ−Ｄ断面図である。
【図８】第１の実施の形態における巻取装置の取付構造の変形例を示す図。
【図９】第１の実施の形態における巻取装置の取付構造の別の変形例を示す図。
【図１０】第１の実施の形態における巻取装置の取付構造のさらなる別の変形例を示す図。
【図１１】本発明の第２の実施の形態を示す図であって、エレベータのかごの平断面図。
【図１２】本発明の第３の実施の形態を示す図であって、エレベータのかごの平断面図。
【図１３】本発明の第４の実施の形態を示す図であって、同図（ａ）はエレベータのかごの平断面図、同図（ｂ）は同図（ａ）におけるＥ部の詳細を示す拡大図。
【図１４】図１３における制御装置の制御内容を示すフローチャート。
【符号の説明】
【００５５】
１…かご室
３…側壁
１０…巻取装置
１２…巻取軸
１３…パーティションシート
１６…留め金（被係止部）
１８…フック（係止部材）
１９…エンドプレート（被係止部）
２０…フック（被係止部）
２１…留め金（係止部材）
２４…巻取装置
２５…駆動装置
３０…フック（係止部材）
３１…検出スイッチ（検出手段）
３２…乗場インジケータ（情報伝達手段）
【図１】
2008074517.tif 000003
【図２】
2008074517.tif 000004
【図３】
2008074517.tif 000005
【図４】
2008074517.tif 000006
【図５】
2008074517.tif 000007
【図６】
2008074517.tif 000008
【図７】
2008074517.tif 000009
【図８】
2008074517.tif 000010
【図９】
2008074517.tif 000011
【図１０】
2008074517.tif 000012
【図１１】
2008074517.tif 000013
【図１２】
2008074517.tif 000014
【図１３】
2008074517.tif 000015
【図１４】
2008074517.tif 000016